(57)【要約】【課題】共振周波数の近傍におけるインピーダンスの低下を抑制することが可能な積層コンデンサを提供する。【解決手段】積層コンデンサ１は、誘電体素体１０と、内部電極１２Ａ，１２Ｂ，１４Ａ，１４Ｂ，１６Ａ，１６Ｂと、端子電極１８Ａ，１８Ｂと、連結用電極２０Ａ，２０Ｂとを備える。互いに異極である内部電極１４Ａと内部電極１６Ｂとは、複数の誘電体層の積層方向から見て互いに重なり合っている。互いに異極である内部電極１４Ｂと内部電極１６Ａとは、複数の誘電体層の積層方向から見て互いに重なり合っている。互いに異極である内部電極１２Ａと内部電極１２Ｂとは、複数の誘電体層の積層方向から見て互いに重なり合っていない。【選択図】図３
2010098254.tif 000002
【特許請求の範囲】
【請求項１】
第１〜第３の誘電体層を少なくとも有する複数の誘電体層が積層された素体と、
前記素体の外表面に配置された第１及び第２の端子電極と、
前記素体の外表面に配置された第１及び第２の連結用電極と、
前記素体の内部に配置された第１〜第４の内部電極とを備え、
前記第１の誘電体層、前記第２の誘電体層及び前記第３の誘電体層は、この順で積層されており、
前記第１及び第２の内部電極は、互いに離間した状態で前記第１の誘電体層上に配置され、
前記第３の内部電極は、前記第２の誘電体層上に配置され、
前記第４の内部電極は、前記第３の誘電体層上に配置されており、
前記第１の内部電極には、前記第１の端子電極と接続される第１の端子用接続部と、前記第１の連結用電極と接続される第１の連結用接続部とが一体的に設けられ、
前記第２の内部電極には、前記第２の端子電極と接続される第２の端子用接続部と、前記第２の連結用電極と接続される第２の連結用接続部とが一体的に設けられ、
前記第３の内部電極には、前記第２の連結用電極と接続される第３の連結用接続部が一体的に設けられ、
前記第４の内部電極には、前記第１の連結用電極と接続される第４の連結用接続部が一体的に設けられ、
前記第３の内部電極は、前記複数の誘電体層の積層方向において前記第２及び第４の内部電極と隣り合い、
前記第１の内部電極と前記第３の内部電極とは、前記複数の誘電体層の積層方向から見て互いに重なり合っておらず、
前記第２の内部電極と前記第３の内部電極と前記第４の内部電極とは、前記複数の誘電体層の積層方向から見て互いに重なり合っていることを特徴とする積層コンデンサ。
【請求項２】
前記素体の内部に配置された第５の内部電極を備え、
前記第５の内部電極は、前記第３の内部電極と離間した状態で前記第２の誘電体層上に配置され、
前記第５の内部電極には、前記第１の連結用電極と接続される第５の連結用接続部が一体的に設けられ、
前記第５の内部電極は、前記複数の誘電体の積層方向において前記第１及び第４の内部電極と隣り合い、
前記第１の内部電極と前記第５の内部電極とは、前記複数の誘電体層の積層方向から見て互いに重なり合っており、
前記第２の内部電極と前記第５の内部電極とは、前記複数の誘電体層の積層方向から見て互いに重なり合っておらず、
前記第４の内部電極と前記第５の内部電極とは、前記複数の誘電体の積層方向から見て互いに重なり合っていることを特徴とする、請求項１に記載された積層コンデンサ。
【請求項３】
第１〜第３の誘電体層を少なくとも有する複数の誘電体層が積層された素体と、
前記素体の外表面に配置された第１及び第２の端子電極と、
前記素体の外表面に配置された第１及び第２の連結用電極と、
前記素体の内部に配置された第１〜第５の内部電極とを備え、
前記第１の誘電体層、前記第２の誘電体層及び前記第３の誘電体層は、この順で積層されており、
前記第１及び第２の内部電極は、互いに離間した状態で前記第１の誘電体層上に配置され、
前記第３及び第５の内部電極は、互いに離間した状態で前記第２の誘電体層上に配置され、
前記第４の内部電極は、前記第３の誘電体層上に配置されており、
前記第１の内部電極には、前記第１の端子電極と接続される第１の端子用接続部と、前記第１の連結用電極と接続される第１の連結用接続部とが一体的に設けられ、
前記第２の内部電極には、前記第２の端子電極と接続される第２の端子用接続部と、前記第２の連結用電極と接続される第２の連結用接続部とが一体的に設けられ、
前記第３の内部電極には、前記第２の連結用電極と接続される第３の連結用接続部が一体的に設けられ、
前記第４の内部電極には、前記第１の連結用電極と接続される第４の連結用接続部が一体的に設けられ、
前記第５の内部電極には、前記第１の連結用電極と接続される第５の連結用接続部が一体的に設けられ、
前記第１の内部電極は、前記複数の誘電体層の積層方向において前記第５の内部電極と隣り合い、
前記第３の内部電極は、前記複数の誘電体層の積層方向において前記第２及び第４の内部電極と隣り合い、
前記第１の内部電極と前記第５の内部電極とは、前記複数の誘電体層の積層方向から見て互いに重なり合っており、
前記第１の内部電極と前記第３の内部電極とは、前記複数の誘電体層の積層方向から見て互いに重なり合っておらず、
前記第２の内部電極と前記第５の内部電極とは、前記複数の誘電体層の積層方向から見て互いに重なり合っておらず、
前記第２の内部電極と前記第３の内部電極と前記第４の内部電極とは、前記複数の誘電体層の積層方向から見て互いに重なり合っていることを特徴とする積層コンデンサ。
【請求項４】
前記素体の内部に配置された第６〜第１０の内部電極を備え、
前記複数の誘電体層は、第４〜第６の誘電体層を有し、
前記第１の誘電体層、前記第２の誘電体層、前記第３の誘電体層、前記第６の誘電体層、前記第４の誘電体層及び前記第５の誘電体層は、この順で積層されており、
前記素体は、前記複数の誘電体層の積層方向において前記第１の誘電体層側に位置する第１の主面と、前記複数の誘電体層の積層方向において前記第５の誘電体層側に位置する第２の主面とを有し、
前記第６及び第７の内部電極は、互いに離間した状態で前記第４の誘電体層上に配置され、
前記第８及び第９の内部電極は、互いに離間した状態で前記第５の誘電体層上に配置され、
前記第１０の内部電極は、前記第６の誘電体層上に配置されており、
前記第６の内部電極には、前記第１の連結用電極と接続される第６の連結用接続部が一体的に設けられ、
前記第７の内部電極には、前記第２の連結用電極と接続される第７の連結用接続部が一体的に設けられ、
前記第８の内部電極には、前記第１の端子電極と接続される第３の端子用接続部と、前記第１の連結用電極と接続される第８の連結用接続部とが一体的に設けられ、
前記第９の内部電極には、前記第２の端子電極と接続される第４の端子用接続部と、前記第２の連結用電極と接続される第９の連結用接続部とが一体的に設けられ、
前記第１０の内部電極には、前記第２の連結用電極と接続される第１０の連結用接続部が一体的に設けられ、
前記第６の内部電極は、前記複数の誘電体層の積層方向において前記第８及び第１０の内部電極と隣り合い、
前記第７の内部電極は、前記複数の誘電体層の積層方向において前記第９の内部電極と隣り合い、
前記第６の内部電極と前記第８の内部電極と前記第１０の内部電極とは、前記複数の誘電体層の積層方向から見て互いに重なり合っており、
前記第６の内部電極と前記第９の内部電極とは、前記複数の誘電体層の積層方向から見て互いに重なり合っておらず、
前記第７の内部電極と前記第８の内部電極とは、前記複数の誘電体層の積層方向から見て互いに重なり合っておらず、
前記第７の内部電極と前記第９の内部電極とは、前記複数の誘電体層の積層方向から見て互いに重なり合っており、
前記複数の誘電体層の積層方向における前記第１及び第２の内部電極と前記素体の前記第１の主面との直線距離が、前記複数の誘電体層の積層方向における前記第８及び第９の内部電極と前記素体の前記第２の主面との直線距離と略同一であることを特徴とする、請求項２又は３に記載された積層コンデンサ。
【請求項５】
前記素体の内部に配置された第６〜第９の内部電極を備え、
前記複数の誘電体層は、第４及び第５の誘電体層を有し、
前記第１の誘電体層、前記第２の誘電体層、前記第３の誘電体層、前記第４の誘電体層及び前記第５の誘電体層は、この順で積層されており、
前記素体は、前記複数の誘電体層の積層方向において前記第１の誘電体層側に位置する第１の主面と、前記複数の誘電体層の積層方向において前記第５の誘電体層側に位置する第２の主面とを有し、
前記第６及び第７の内部電極は、互いに離間した状態で前記第４の誘電体層上に配置され、
前記第８及び第９の内部電極は、互いに離間した状態で前記第５の誘電体層上に配置され、
前記第６の内部電極には、前記第１の連結用電極と接続される第６の連結用接続部が一体的に設けられ、
前記第７の内部電極には、前記第２の連結用電極と接続される第７の連結用接続部が一体的に設けられ、
前記第８の内部電極には、前記第１の端子電極と接続される第３の端子用接続部と、前記第１の連結用電極と接続される第８の連結用接続部とが一体的に設けられ、
前記第９の内部電極には、前記第２の端子電極と接続される第４の端子用接続部と、前記第２の連結用電極と接続される第９の連結用接続部とが一体的に設けられ、
前記第４の内部電極は、前記複数の誘電体層の積層方向において前記第７の内部電極と隣り合い、
前記第６の内部電極は、前記複数の誘電体層の積層方向において前記第８の内部電極と隣り合い、
前記第７の内部電極は、前記複数の誘電体層の積層方向において前記第９の内部電極と隣り合い、
前記第４の内部電極と前記第７の内部電極と前記第９の内部電極とは、前記複数の誘電体層の積層方向から見て互いに重なり合っており、
前記第６の内部電極と前記第８の内部電極とは、前記複数の誘電体層の積層方向から見て互いに重なり合っており、
前記第６の内部電極と前記第９の内部電極とは、前記複数の誘電体層の積層方向から見て互いに重なり合っておらず、
前記第７の内部電極と前記第８の内部電極とは、前記複数の誘電体層の積層方向から見て互いに重なり合っておらず、
前記複数の誘電体層の積層方向における前記第１及び第２の内部電極と前記素体の前記第１の主面との直線距離が、前記複数の誘電体層の積層方向における前記第８及び第９の内部電極と前記素体の前記第２の主面との直線距離と略同一であることを特徴とする、請求項２又は３に記載された積層コンデンサ。
【請求項６】
前記素体は、前記複数の誘電体層の積層方向において前記第１の誘電体層側に位置する第１の主面と、前記複数の誘電体層の積層方向において前記第３の誘電体層側に位置する第２の主面とを有し、
前記複数の誘電体層の積層方向における前記第１及び第２の内部電極と前記素体の前記第１の主面との直線距離が、前記複数の誘電体層の積層方向における前記第１及び第２の内部電極と前記素体の前記第２の主面との直線距離と略同一であることを特徴とする、請求項２又は３に記載された積層コンデンサ。
【請求項７】
前記素体の内部に配置された第６及び第７の内部電極を備え、
前記複数の誘電体層は、第４の誘電体層を有し、
前記第４の誘電体層、前記第１の誘電体層、前記第２の誘電体層及び前記第３の誘電体層は、この順で積層されており、
前記第６及び第７の内部電極は、互いに離間した状態で前記第４の誘電体層上に配置され、
前記第６の内部電極には、前記第１の連結用電極と接続される第６の連結用接続部が一体的に設けられ、
前記第７の内部電極には、前記第２の連結用電極と接続される第７の連結用接続部が一体的に設けられ、
前記第６の内部電極は、前記複数の誘電体層の積層方向において前記第１の内部電極と隣り合い、
前記第７の内部電極は、前記複数の誘電体層の積層方向において前記第２の内部電極と隣り合い、
前記第６の内部電極と前記第１の内部電極とは、前記複数の誘電体層の積層方向から見て互いに重なり合っており、
前記第６の内部電極と前記第２の内部電極とは、前記複数の誘電体層の積層方向から見て互いに重なり合っておらず、
前記第７の内部電極と前記第１の内部電極とは、前記複数の誘電体層の積層方向から見て互いに重なり合っておらず、
前記第７の内部電極と前記第２の内部電極とは、前記複数の誘電体層の積層方向から見て互いに重なり合っていることを特徴とする、請求項６に記載された積層コンデンサ。
【請求項８】
前記第１の内部電極は、前記第１の連結用接続部が設けられている部分よりも前記第１の端子用接続部寄りの第１の端子側領域を有し、
前記第２の内部電極は、前記第２の連結用接続部が設けられている部分よりも前記第２の端子用接続部寄りの第２の端子側領域を有しており、
前記第１及び第２の端子側領域には複数の開口部がそれぞれ設けられていることを特徴とする、請求項１〜７のいずれか一項に記載された積層コンデンサ。
【請求項９】
前記複数の開口部はメッシュ状に配置されていることを特徴とする、請求項８に記載された積層コンデンサ。
【発明の詳細な説明】
【技術分野】
【０００１】
本発明は、積層コンデンサに関する。
【背景技術】
【０００２】
従来、等価直列抵抗（ＥＳＲ：EquivalentSeries Resistance）を増加させて電源の電圧振動を抑制することで種々の用途に適用可能とした積層コンデンサが知られている（例えば、下記特許文献１参照）。この積層コンデンサは、直方体形状を呈しており、互いに対向する一対の主面と、互いに対向する第１及び第２の側面と、互いに対向する第３及び第４の側面とを有する積層体と、第１の側面に配置された第１の端子電極と、第２の側面に配置された第２の端子電極と、第３の側面に配置された第１の連結用電極と、第４の側面に配置された第２の連結用電極とを備える。積層体は、誘電体層を介在させて第１〜第４の内部電極を交互に積層させて形成されている。
【０００３】
第１の内部電極には、第１の側面に一端部が露出するように延びて第１の端子電極に接続される端子用突出部と、第３の側面に一端部が露出するように延びて第１の連結電極に接続される接続用突出部とがそれぞれ一体的に設けられている（下記特許文献１の図１０参照）。第２の内部電極には、第２の側面に一端部が露出するように第２の端子電極に接続される端子用突出部と、第４の側面に一端部が露出するように延びて第２の連結電極に接続される接続用突出部とが一体的に設けられている（同図参照）。第３の内部電極には、第３の側面に一端部が露出するように延びて第１の連結電極に接続される接続用突出部が一体的に設けられている（同図参照）。第４の内部電極には、第４の側面に一端部が露出するように延びて第２の連結電極に接続される接続用突出部が一体的に設けられている（同図参照）。そのため、電流は、第１の端子電極、第１の内部電極、第１の連結電極及び第３の内部電極の順に流れ、第１の内部電極と第３の内部電極とが同極性として機能することとなる。また、電流は、第４の内部電極、第２の連結電極、第２の内部電極及び第２の端子電極の順に流れ、第２の内部電極と第４の内部電極とが同極性として機能することとなる。これにより、積層コンデンサ内における電流の流路の増加がもたらされ、これに伴い積層コンデンサのＥＳＲが増加することとなる。このようにＥＳＲを増加させることでインピーダンスを大きくすることができ、共振周波数を中心とした広域波帯域にわたってインピーダンス変動を小さくすることができる。
【特許文献１】特開２００３−１６８６２０号公報
【発明の開示】
【発明が解決しようとする課題】
【０００４】
しかしながら、上記特許文献１のような従来の積層コンデンサでは、ＥＳＲを増加させて共振周波数を大きくしても、共振周波数の近傍において依然としてインピーダンスが低下してしまう場合があった（図４の破線ｂ参照）。
【０００５】
そこで、本発明は、共振周波数におけるインピーダンスの低下を抑制することが可能な積層コンデンサを提供することを目的とする。
【課題を解決するための手段】
【０００６】
本発明者等は、共振周波数の近傍においてインピーダンスが低下してしまう原因について、鋭意研究を行った。その結果、以下の知見を得た。
【０００７】
上記特許文献１に記載された積層コンデンサでは、第１の端子電極と接続される接続用突出部が一体的に設けられた第１の内部電極と、第２の端子電極と接続される接続用突出部が一体的に設けられた第２の内部電極とが、誘電体層を介して隣り合っていた。すなわち、異極となる第１の内部電極と第２の内部電極とが、誘電体層を介して隣り合っていた。そのため、第１の内部電極と第２の内部電極との間に静電容量が発生していた。
【０００８】
ところで、電流は、第１の内部電極においては、端子用突出部、第１の内部電極及び接続用突出部の順に流れ、第２の内部電極においては、接続用突出部、第２の内部電極及び端子用突出部の順に流れる。そのため、積層コンデンサの抵抗成分は、第１の内部電極においては、電流が流れる端子用突出部、第１の内部電極及び接続用突出部の間に発生し、第２の内部電極においては、端子用突出部、第２の内部電極及び接続用突出部の間に発生する。従って、積層コンデンサの等価回路においては、第１の内部電極のうち端子用突出部と接続用突出部との間とは反対側の部分と、第２の内部電極のうち端子用突出部と接続用突出部との間の部分との間に発生する静電容量（寄生容量ともいう）Ｃｐが、積層コンデンサの抵抗成分ＥＳＲに並列に接続されることとなる（図５参照）。そして、本発明者等は、当該寄生容量Ｃｐが大きいほど共振周波数の近傍におけるインピーダンスが低下してしまうことを見出し、この知見に基づいて本発明を完成させるに至った。
【０００９】
すなわち、本発明に係る積層コンデンサは、第１〜第３の誘電体層を少なくとも有する複数の誘電体層が積層された素体と、素体の外表面に配置された第１及び第２の端子電極と、素体の外表面に配置された第１及び第２の連結用電極と、素体の内部に配置された第１〜第４の内部電極とを備え、第１の誘電体層、第２の誘電体層及び第３の誘電体層は、この順で積層されており、第１及び第２の内部電極は、互いに離間した状態で前記第１の誘電体層上に配置され、第３の内部電極は、第２の誘電体層上に配置され、第４の内部電極は、第３の誘電体層上に配置されており、第１の内部電極には、第１の端子電極と接続される第１の端子用接続部と、第１の連結用電極と接続される第１の連結用接続部とが一体的に設けられ、第２の内部電極には、第２の端子電極と接続される第２の端子用接続部と、第２の連結用電極と接続される第２の連結用接続部とが一体的に設けられ、第３の内部電極には、第２の連結用電極と接続される第３の連結用接続部が一体的に設けられ、第４の内部電極には、第１の連結用電極と接続される第４の連結用接続部が一体的に設けられ、第３の内部電極は、複数の誘電体層の積層方向において第２及び第４の内部電極と隣り合い、第１の内部電極と第３の内部電極とは、複数の誘電体層の積層方向から見て互いに重なり合っておらず、第２の内部電極と第３の内部電極と第４の内部電極とは、複数の誘電体層の積層方向から見て互いに重なり合っていることを特徴とする。
【００１０】
本発明に係る積層コンデンサでは、第１の内部電極に、第１の端子電極と接続される第１の端子用接続部及び第１の連結用電極と接続される第１の連結用接続部が一体的に設けられ、第３の内部電極に、第２の連結用電極と接続される第３の連結用接続部が一体的に設けられ、第４の内部電極に、第１の連結用電極と接続される第４の連結用接続部が一体的に設けられており、互いに同極である第１の内部電極と第４の内部電極とが、複数の誘電体層の積層方向から見て互いに重なり合っており、第１の内部電極と第３の内部電極とが、複数の誘電体層の積層方向から見て互いに重なり合っていない。そのため、電流が流れた場合に積層コンデンサの抵抗成分ＥＳＲ（図５参照）が生じる第１の内部電極が、第４の内部電極の側において、異極と隣接して対向しなくなることから、積層コンデンサの抵抗成分に並列に接続される寄生用量Ｃｐ（図５参照）が小さくなる。また、本発明に係る積層コンデンサでは、第２の内部電極に、第２の端子電極と接続される第２の端子用接続部及び第２の連結用電極と接続される第２の連結用接続部が一体的に設けられ、第３の内部電極に、第２の連結用電極と接続される第３の連結用接続部が一体的に設けられており、互いに同極である第２の内部電極と第３の内部電極とが、複数の誘電体層の積層方向から見て互いに重なり合っている。そのため、電流が流れた場合に積層コンデンサの抵抗成分ＥＳＲ（図５参照）が生じる第２の内部電極が、第３の内部電極と隣り合う側において、異極と隣接して対向しなくなることから、積層コンデンサの抵抗成分に並列に接続される寄生用量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンスの変動が抑制されることとなる。
【００１１】
また、本発明に係る積層コンデンサでは、互いに異極である第１の内部電極と第２の内部電極とが、共に同一の誘電体層（第１の誘電体層）上に配置されている。その結果、素体を構成する誘電体層の積層数が減るので、積層コンデンサの小型化を図ることが可能となる。
【００１２】
さらに、本発明に係る積層コンデンサでは、第３の内部電極に、第２の連結用電極と接続される第３の連結用接続部が一体的に設けられ、第４の内部電極に、第１の連結用電極と接続される第４の連結用接続部が一体的に設けられており、互いに異極である第３の内部電極と第４の内部電極とが、複数の誘電体層の積層方向において隣接して対向している。そのため、第１又は第２の端子電極と接続されない第３の内部電極と第４の内部電極との間において、積層コンデンサの容量成分Ｃ（図５参照）が生じることとなる。その結果、上記のように、互いに異極である第１の内部電極と第２の内部電極とが共に同一の誘電体層上に配置されていることと相俟って、積層コンデンサの小型化を図りつつ、積層コンデンサの全体としての静電容量Ｃ（図５参照）を大きくすることが可能となる。これにより、図４において二点鎖線ｃ２で示されるように、低周波帯域全体にわたってインピーダンスを低下させることが可能となる。
【００１３】
好ましくは、素体の内部に配置された第５の内部電極を備え、第５の内部電極は、第３の内部電極と離間した状態で第２の誘電体層上に配置され、第５の内部電極には、第１の連結用電極と接続される第５の連結用接続部が一体的に設けられ、第５の内部電極は、複数の誘電体の積層方向において第１及び第４の内部電極と隣り合い、第１の内部電極と第５の内部電極とは、複数の誘電体層の積層方向から見て互いに重なり合っており、第２の内部電極と第５の内部電極とは、複数の誘電体層の積層方向から見て互いに重なり合っておらず、第４の内部電極と第５の内部電極とは、複数の誘電体の積層方向から見て互いに重なり合っている。このようにすると、電流が流れた場合に積層コンデンサの抵抗成分ＥＳＲ（図５参照）が生じる第１の内部電極が、第５の内部電極と隣り合う側において、異極と隣接して対向しなくなることから、積層コンデンサの抵抗成分に並列に接続される寄生容量Ｃｐ（図５参照）をより小さくすることが可能となる。
【００１４】
また、本発明に係る積層コンデンサは、第１〜第３の誘電体層を少なくとも有する複数の誘電体層が積層された素体と、素体の外表面に配置された第１及び第２の端子電極と、素体の外表面に配置された第１及び第２の連結用電極と、素体の内部に配置された第１〜第５の内部電極とを備え、第１の誘電体層、第２の誘電体層及び第３の誘電体層は、この順で積層されており、第１及び第２の内部電極は、互いに離間した状態で前記第１の誘電体層上に配置され、第３及び第５の内部電極は、互いに離間した状態で前記第２の誘電体層上に配置され、第４の内部電極は、第３の誘電体層上に配置されており、第１の内部電極には、第１の端子電極と接続される第１の端子用接続部と、第１の連結用電極と接続される第１の連結用接続部とが一体的に設けられ、第２の内部電極には、第２の端子電極と接続される第２の端子用接続部と、第２の連結用電極と接続される第２の連結用接続部とが一体的に設けられ、第３の内部電極には、第２の連結用電極と接続される第３の連結用接続部が一体的に設けられ、第４の内部電極には、第１の連結用電極と接続される第４の連結用接続部が一体的に設けられ、第５の内部電極には、第１の連結用電極と接続される第５の連結用接続部が一体的に設けられ、第１の内部電極は、複数の誘電体層の積層方向において第５の内部電極と隣り合い、第３の内部電極は、複数の誘電体層の積層方向において第２及び第４の内部電極と隣り合い、第１の内部電極と第５の内部電極とは、複数の誘電体層の積層方向から見て互いに重なり合っており、第１の内部電極と第３の内部電極とは、複数の誘電体層の積層方向から見て互いに重なり合っておらず、第２の内部電極と第５の内部電極とは、複数の誘電体層の積層方向から見て互いに重なり合っておらず、第２の内部電極と第３の内部電極と第４の内部電極とは、複数の誘電体層の積層方向から見て互いに重なり合っていることを特徴とする。
【００１５】
本発明に係る積層コンデンサでは、第１の内部電極に、第１の端子電極と接続される第１の端子用接続部及び第１の連結用電極と接続される第１の連結用接続部が一体的に設けられ、第３の内部電極に、第２の連結用電極と接続される第３の連結用接続部が一体的に設けられ、第５の内部電極に、第１の連結用電極と接続される第５の連結用接続部が一体的に設けられており、互いに同極である第１の内部電極と第５の内部電極とが、複数の誘電体層の積層方向から見て互いに重なり合っており、第１の内部電極と第３の内部電極とが、複数の誘電体層の積層方向から見て互いに重なり合っていない。そのため、電流が流れた場合に積層コンデンサの抵抗成分ＥＳＲ（図５参照）が生じる第１の内部電極が、第５の内部電極と隣り合う側において、異極と隣接して対向しなくなることから、積層コンデンサの抵抗成分に並列に接続される寄生用量Ｃｐ（図５参照）が小さくなる。また、本発明に係る積層コンデンサでは、第２の内部電極に、第２の端子電極と接続される第２の端子用接続部及び第２の連結用電極と接続される第２の連結用接続部が一体的に設けられ、第３の内部電極に、第２の連結用電極と接続される第３の連結用接続部が一体的に設けられ、第５の内部電極に、第１の連結用電極と接続される第５の連結用接続部が一体的に設けられており、互いに同極である第２の内部電極と第３の内部電極とが、複数の誘電体層の積層方向から見て互いに重なり合っており、第２の内部電極と第５の内部電極とが、複数の誘電体層の積層方向から見て互いに重なり合っていない。そのため、電流が流れた場合に積層コンデンサの抵抗成分ＥＳＲ（図５参照）が生じる第２の内部電極が、第３の内部電極と隣り合う側において、異極と隣接して対向しなくなることから、積層コンデンサの抵抗成分に並列に接続される寄生用量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンスの変動が抑制されることとなる。
【００１６】
また、本発明に係る積層コンデンサでは、互いに異極である第１の内部電極と第２の内部電極とが、共に同一の誘電体層（第１の誘電体層）上に配置されており、互いに異極である第３の内部電極と第５の内部電極とが、共に同一の誘電体層（第２の誘電体層）上に配置されている。その結果、素体を構成する誘電体層の積層数が減るので、積層コンデンサの小型化を図ることが可能となる。
【００１７】
さらに、本発明に係る積層コンデンサでは、第３の内部電極に、第２の連結用電極と接続される第３の連結用接続部が一体的に設けられ、第４の内部電極に、第１の連結用電極と接続される第４の連結用接続部が一体的に設けられており、互いに異極である第３の内部電極と第４の内部電極とが、複数の誘電体層の積層方向において隣接して対向している。そのため、第１又は第２の端子電極と接続されない第３の内部電極と第４の内部電極との間において、積層コンデンサの容量成分Ｃ（図５参照）が生じることとなる。その結果、上記のように、互いに異極である第１の内部電極と第２の内部電極とが共に同一の誘電体層上に配置されており、互いに異極である第３の内部電極と第４の内部電極とが共に同一の誘電体層上に配置されていることと相俟って、積層コンデンサの小型化を図りつつ、積層コンデンサの全体としての静電容量Ｃ（図５参照）を大きくすることが可能となる。これにより、図４において二点鎖線ｃ２で示されるように、低周波帯域全体にわたってインピーダンスを低下させることが可能となる。
【００１８】
好ましくは、素体の内部に配置された第６〜第１０の内部電極を備え、複数の誘電体層は、第４〜第６の誘電体層を有し、第１の誘電体層、第２の誘電体層、第３の誘電体層、第６の誘電体層、第４の誘電体層及び第５の誘電体層は、この順で積層されており、素体は、複数の誘電体層の積層方向において第１の誘電体層側に位置する第１の主面と、複数の誘電体層の積層方向において第５の誘電体層側に位置する第２の主面とを有し、第６及び第７の内部電極は、互いに離間した状態で第４の誘電体層上に配置され、第８及び第９の内部電極は、互いに離間した状態で第５の誘電体層上に配置され、第１０の内部電極は、第６の誘電体層上に配置されており、第６の内部電極には、第１の連結用電極と接続される第６の連結用接続部が一体的に設けられ、第７の内部電極には、第２の連結用電極と接続される第７の連結用接続部が一体的に設けられ、記第８の内部電極には、第１の端子電極と接続される第３の端子用接続部と、第１の連結用電極と接続される第８の連結用接続部とが一体的に設けられ、第９の内部電極には、第２の端子電極と接続される第４の端子用接続部と、第２の連結用電極と接続される第９の連結用接続部とが一体的に設けられ、第１０の内部電極には、第２の連結用電極と接続される第１０の連結用接続部が一体的に設けられ、第６の内部電極は、複数の誘電体層の積層方向において第８及び第１０の内部電極と隣り合い、第７の内部電極は、複数の誘電体層の積層方向において第９の内部電極と隣り合い、第６の内部電極と第８の内部電極と第１０の内部電極とは、複数の誘電体層の積層方向から見て互いに重なり合っており、第６の内部電極と第９の内部電極とは、複数の誘電体層の積層方向から見て互いに重なり合っておらず、第７の内部電極と第８の内部電極とは、複数の誘電体層の積層方向から見て互いに重なり合っておらず、第７の内部電極と第９の内部電極とは、複数の誘電体層の積層方向から見て互いに重なり合っており、複数の誘電体層の積層方向における第１及び第２の内部電極と素体の第１の主面との直線距離が、複数の誘電体層の積層方向における第８及び第９の内部電極と素体の第２の主面との直線距離と略同一である。
【００１９】
このようにすると、電流が流れた場合に積層コンデンサの抵抗成分ＥＳＲ（図５参照）が生じる第８の内部電極が、第６の内部電極と隣り合う側において、異極と隣接して対向しなくなると共に、電流が流れた場合に積層コンデンサの抵抗成分ＥＳＲ（図５参照）が生じる第９の内部電極が、第７の内部電極と隣り合う側において、異極と隣接して対向しなくなることから、積層コンデンサの抵抗成分に並列に接続される寄生用量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンスの変動が抑制されることとなる。
【００２０】
また、互いに異極である第６の内部電極と第７の内部電極とが、共に同一の誘電体層（第４の誘電体層）上に配置されており、互いに異極である第８の内部電極と第９の内部電極とが、共に同一の誘電体層（第５の誘電体層）上に配置されている。その結果、素体を構成する誘電体層の積層数が減るので、積層コンデンサの小型化を図ることが可能となる。
【００２１】
さらに、このようにすると、第１又は第２の端子電極と接続されない第６の内部電極と第１０の内部電極との間において、積層コンデンサの容量成分Ｃ（図５参照）が生じることとなる。その結果、上記のように、互いに異極である第６の内部電極と第７の内部電極とが共に同一の誘電体層上に配置されており、互いに異極である第８の内部電極と第９の内部電極とが共に同一の誘電体層上に配置されていることと相俟って、積層コンデンサの小型化を図りつつ、積層コンデンサの全体としての静電容量Ｃ（図５参照）を大きくすることが可能となる。これにより、図４において二点鎖線ｃ２で示されるように、低周波帯域全体にわたってインピーダンスを低下させることが可能となる。
【００２２】
ところで、第１の主面と第１及び第２の内部電極との直線距離と、第２の主面と第８及び第９の内部電極との直線距離とが異なっていると、第１の主面を実装面として積層コンデンサを回路基板に実装した場合と第２の主面を実装面として積層コンデンサを回路基板に実装した場合とで電流が流れる経路が変わってしまい、回路基板への積層コンデンサの実装状態によっては高周波特性が変わってしまうことが起こりうる。しかしながら、このように、第１の主面と第１及び第２の内部電極との直線距離と、第２の主面と第８及び第９の内部電極との直線距離とが略同一であると、高周波特性が変わってしまう虞がほとんどなくなることとなる。なお、積層コンデンサは工業製品であり、ある程度の範囲での誤差が生じるものであるから、ここでいう「略同一」には、工業製品における誤差範囲内での同一性も含まれる。
【００２３】
好ましくは、素体の内部に配置された第６〜第９の内部電極を備え、複数の誘電体層は、第４及び第５の誘電体層を有し、第１の誘電体層、第２の誘電体層、第３の誘電体層、第４の誘電体層及び第５の誘電体層は、この順で積層されており、素体は、複数の誘電体層の積層方向において第１の誘電体層側に位置する第１の主面と、複数の誘電体層の積層方向において第５の誘電体層側に位置する第２の主面とを有し、第６及び第７の内部電極は、互いに離間した状態で第４の誘電体層上に配置され、第８及び第９の内部電極は、互いに離間した状態で第５の誘電体層上に配置され、第６の内部電極には、第１の連結用電極と接続される第６の連結用接続部が一体的に設けられ、第７の内部電極には、第２の連結用電極と接続される第７の連結用接続部が一体的に設けられ、第８の内部電極には、第１の端子電極と接続される第３の端子用接続部と、第１の連結用電極と接続される第８の連結用接続部とが一体的に設けられ、第９の内部電極には、第２の端子電極と接続される第４の端子用接続部と、第２の連結用電極と接続される第９の連結用接続部とが一体的に設けられ、第４の内部電極は、複数の誘電体層の積層方向において第７の内部電極と隣り合い、第６の内部電極は、複数の誘電体層の積層方向において第８の内部電極と隣り合い、第７の内部電極は、複数の誘電体層の積層方向において第９の内部電極と隣り合い、第４の内部電極と第７の内部電極と第９の内部電極とは、複数の誘電体層の積層方向から見て互いに重なり合っており、第６の内部電極と第８の内部電極とは、複数の誘電体層の積層方向から見て互いに重なり合っており、第６の内部電極と第９の内部電極とは、複数の誘電体層の積層方向から見て互いに重なり合っておらず、第７の内部電極と第８の内部電極とは、複数の誘電体層の積層方向から見て互いに重なり合っておらず、複数の誘電体層の積層方向における第１及び第２の内部電極と素体の第１の主面との直線距離が、複数の誘電体層の積層方向における第８及び第９の内部電極と素体の第２の主面との直線距離と略同一である。
【００２４】
このようにすると、電流が流れた場合に積層コンデンサの抵抗成分ＥＳＲ（図５参照）が生じる第８の内部電極が、第６の内部電極と隣り合う側において、異極と隣接して対向しなくなると共に、電流が流れた場合に積層コンデンサの抵抗成分ＥＳＲ（図５参照）が生じる第９の内部電極が、第７の内部電極と隣り合う側において、異極と隣接して対向しなくなることから、積層コンデンサの抵抗成分に並列に接続される寄生用量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンスの変動が抑制されることとなる。
【００２５】
また、互いに異極である第６の内部電極と第７の内部電極とが、共に同一の誘電体層（第４の誘電体層）上に配置されており、互いに異極である第８の内部電極と第９の内部電極とが、共に同一の誘電体層（第５の誘電体層）上に配置されている。その結果、素体を構成する誘電体層の積層数が減るので、積層コンデンサの小型化を図ることが可能となる。
【００２６】
さらに、このようにすると、第１又は第２の端子電極と接続されない第４の内部電極と第７の内部電極との間において、積層コンデンサの容量成分Ｃ（図５参照）が生じることとなる。その結果、上記のように、互いに異極である第６の内部電極と第７の内部電極とが共に同一の誘電体層上に配置されており、互いに異極である第８の内部電極と第９の内部電極とが共に同一の誘電体層上に配置されていることと相俟って、積層コンデンサの小型化を図りつつ、積層コンデンサの全体としての静電容量Ｃ（図５参照）を大きくすることが可能となる。これにより、図４において二点鎖線ｃ２で示されるように、低周波帯域全体にわたってインピーダンスを低下させることが可能となる。
【００２７】
ところで、第１の主面と第１及び第２の内部電極との直線距離と、第２の主面と第８及び第９の内部電極との直線距離とが異なっていると、第１の主面を実装面として積層コンデンサを回路基板に実装した場合と第２の主面を実装面として積層コンデンサを回路基板に実装した場合とで電流が流れる経路が変わってしまい、回路基板への積層コンデンサの実装状態によっては高周波特性が変わってしまうことが起こりうる。しかしながら、このように、第１の主面と第１及び第２の内部電極との直線距離と、第２の主面と第８及び第９の内部電極との直線距離とが略同一であると、高周波特性が変わってしまう虞がほとんどなくなることとなる。なお、積層コンデンサは工業製品であり、ある程度の範囲での誤差が生じるものであるから、ここでいう「略同一」には、工業製品における誤差範囲内での同一性も含まれる。
【００２８】
好ましくは、素体は、複数の誘電体層の積層方向において第１の誘電体層側に位置する第１の主面と、複数の誘電体層の積層方向において第３の誘電体層側に位置する第２の主面とを有し、複数の誘電体層の積層方向における第１及び第２の内部電極と素体の第１の主面との直線距離が、複数の誘電体層の積層方向における第１及び第２の内部電極と素体の第２の主面との直線距離と略同一である。
【００２９】
ところで、第１の主面と第１及び第２の内部電極との直線距離と、第２の主面と第１及び第２の内部電極との直線距離とが異なっていると、第１の主面を実装面として積層コンデンサを回路基板に実装した場合と第２の主面を実装面として積層コンデンサを回路基板に実装した場合とで電流が流れる経路が変わってしまい、回路基板への積層コンデンサの実装状態によっては高周波特性が変わってしまうことが起こりうる。しかしながら、このように、第１の主面と第１及び第２の内部電極との直線距離と、第２の主面と第１及び第２の内部電極との直線距離とが略同一であると、高周波特性が変わってしまう虞がほとんどなくなることとなる。なお、積層コンデンサは工業製品であり、ある程度の範囲での誤差が生じるものであるから、ここでいう「略同一」には、工業製品における誤差範囲内での同一性も含まれる。
【００３０】
より好ましくは、素体の内部に配置された第６及び第７の内部電極を備え、複数の誘電体層は、第４の誘電体層を有し、第４の誘電体層、第１の誘電体層、第２の誘電体層及び第３の誘電体層は、この順で積層されており、第６及び第７の内部電極は、互いに離間した状態で第４の誘電体層上に配置され、第６の内部電極には、第１の連結用電極と接続される第６の連結用接続部が一体的に設けられ、第７の内部電極には、第２の連結用電極と接続される第７の連結用接続部が一体的に設けられ、第６の内部電極は、複数の誘電体層の積層方向において第１の内部電極と隣り合い、第７の内部電極は、複数の誘電体層の積層方向において第２の内部電極と隣り合い、第６の内部電極と第１の内部電極とは、複数の誘電体層の積層方向から見て互いに重なり合っており、第６の内部電極と第２の内部電極とは、複数の誘電体層の積層方向から見て互いに重なり合っておらず、第７の内部電極と第１の内部電極とは、複数の誘電体層の積層方向から見て互いに重なり合っておらず、第７の内部電極と第２の内部電極とは、複数の誘電体層の積層方向から見て互いに重なり合っている。
【００３１】
このようにすると、電流が流れた場合に積層コンデンサの抵抗成分ＥＳＲ（図５参照）が生じる第１の内部電極が、第６の内部電極と隣り合う側において、異極と隣接して対向しなくなると共に、電流が流れた場合に積層コンデンサの抵抗成分ＥＳＲ（図５参照）が生じる第２の内部電極が、第７の内部電極と隣り合う側において、異極と隣接して対向しなくなることから、積層コンデンサの抵抗成分に並列に接続される寄生用量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンスの変動が抑制されることとなる。
【００３２】
また、互いに異極である第６の内部電極と第７の内部電極とが、共に同一の誘電体層（第４の誘電体層）上に配置されている。その結果、素体を構成する誘電体層の積層数が減るので、積層コンデンサの小型化を図ることが可能となる。
【００３３】
好ましくは、第１の内部電極は、第１の連結用接続部が設けられている部分よりも第１の端子用接続部寄りの第１の端子側領域を有し、第２の内部電極は、第２の連結用接続部が設けられている部分よりも第２の端子用接続部寄りの第２の端子側領域を有しており、第１及び第２の端子側領域には複数の開口部がそれぞれ設けられている。
【００３４】
より好ましくは、複数の開口部はメッシュ状に配置されている。
【００３５】
ところで、第１の内部電極とその異極の内部電極との対向面積や、第２の内部電極とその異極の内部電極との対向面積を小さくするためには、第１及び第２の内部電極を、例えば、細い１本の線状とすることも考えられる。しかしながら、この場合、細い１本の線状部分に電流が集中して流れることとなり、等価直列インダクタンス（ＥＳＬ：Equivalent Series Inductance）が増大してしまう。そして、ＥＳＬは、積層コンデンサの等価回路において静電容量Ｃと直列に接続されており（図５参照）、コンデンサの急速な充放電を妨げるように作用するので、ＥＳＬが増大すると、回路の高速化が抑制されてしまう。しかしながら、上記のように、メッシュ状（網目状）となるように複数の開口部を第１及び第２の内部電極に設けるようにすると、第１及び第２の内部電極において電流が分散して流れるようになるので、ＥＳＬの低減を図れることとなる。その結果、図４において一点鎖線ｃ１で示されるように、高周波帯域全体にわたってインピーダンスを低下させることが可能となる。また、第１及び第２の端子側領域に複数の開口部がそれぞれ設けられているので、複数の誘電体層の積層方向から見たときの第１の内部電極とその異極との対向面積が小さくなっており、複数の誘電体層の積層方向から見たときの第２の内部電極とその異極との対向面積が小さくなっている。そのため、第１及び第２の内部電極が、異極からの磁束による影響を受けにくくなり、積層コンデンサの抵抗成分に並列に接続される寄生容量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンス変動が抑制されることとなる。
【発明の効果】
【００３６】
本発明によれば、共振周波数の近傍におけるインピーダンスの低下を抑制することが可能な積層コンデンサを提供することができる。
【発明を実施するための最良の形態】
【００３７】
本発明に係る積層コンデンサ１の好適な実施形態について、図面を参照して説明する。なお、説明において、同一要素又は同一機能を有する要素には同一符号を用いることとし、重複する説明は省略する。
【００３８】
図１〜図３を参照して、本実施形態に係る積層コンデンサ１の構成について説明する。積層コンデンサ１は、直方体形状の誘電体素体（素体）１０と、内部電極１２Ａ（第１の内部電極、第８の内部電極），１２Ｂ（第２の内部電極、第９の内部電極），１４Ａ（第５の内部電極、第６の内部電極），１４Ｂ（第３の内部電極、第７の内部電極），１６Ａ（第４の内部電極），１６Ｂ（第１０の内部電極）と、端子電極１８Ａ（第１の端子電極），１８Ｂ（第２の端子電極）と、連結用電極２０Ａ（第１の連結用電極），２０Ｂ（第２の連結用電極）とを備える。
【００３９】
誘電体素体１０は、互いに対向する主面１０ａ，１０ｂと、互いに対向する側面１０ｃ，１０ｄと、互いに対向する側面１０ｅ，１０ｆとを有する。なお、本実施形態においては、主面１０ａ又は主面１０ｂが、回路基板（図示せず）の主面と対向する実装面とされている。
【００４０】
側面１０ｃ，１０ｄは、主面１０ａ，１０ｂ及び側面１０ｅ，１０ｆを連結するように延びている。側面１０ｅ，１０ｆは、主面１０ａ，１０ｂ及び側面１０ｃ，１０ｄを連結するように延びている。本実施形態においては、誘電体素体１０の長手方向の長さを例えば１．０ｍｍ程度、幅を例えば０．５ｍｍ程度、厚みを例えば０．５ｍｍ程度に設定することができる。なお、誘電体素体１０は、通常、焼成後にバレル研磨されるので、誘電体素体１０の稜部は、所定の大きさの曲率を有する曲面状を呈している（図示せず）。
【００４１】
誘電体素体１０は、図３に示されるように、矩形状を呈する誘電体層Ａ１０〜Ａ１８がこの順に積層されて構成されている。すなわち、誘電体層Ａ１０の上面が誘電体素体１０の主面１０ａを構成し、誘電体層Ａ１８の下面が誘電体素体１０の主面１０ｂを構成することとなり、主面１０ａ，１０ｂの対向方向（以下、対向方向と称する）は本実施形態において誘電体素体１０（誘電体層Ａ１０〜Ａ１８）の積層方向（以下、積層方向と称する）に一致する。
【００４２】
誘電体層Ａ１０〜Ａ１８は、電気絶縁性を有する絶縁体として機能する。誘電体層Ａ１０〜Ａ１８は、例えば、チタン酸バリウムやチタン酸ストロンチウムに希土類元素を添加した誘電性セラミック材料で形成することができる。実際の誘電体素体１０は、焼成により、各誘電体層Ａ１０〜Ａ１８の境界が視認できない程度に一体化されている。
【００４３】
誘電体層Ａ１１，Ａ１８のそれぞれの表面には、矩形状の内部電極１２Ａ，１２Ｂが互いに離間した状態で形成されている。内部電極１２Ａは、誘電体層Ａ１１，Ａ１８のうち側面１０ｃ寄りの領域（本実施形態においては、誘電体層Ａ１１，Ａ１８の長手方向における中央よりも側面１０ｃ側の領域）に配置されており、内部電極１２Ｂは、誘電体層Ａ１１，Ａ１８のうち側面１０ｄ寄りの領域（本実施形態においては、誘電体層Ａ１１，Ａ１８の長手方向における中央よりも側面１０ｄ側の領域）に配置されている。
【００４４】
内部電極１２Ａには、側面１０ｃ側の短辺に端子用接続部２２Ａ（第１の端子用接続部、第３の端子用接続部）が一体的に設けられている。端子用接続部２２Ａは、内部電極１２Ａと同じ幅で誘電体層Ａ１１，Ａ１８の端子電極１８Ａが形成される側の縁に引き出され、その端部が側面１０ｃに露出している。また、内部電極１２Ａには、側面１０ｄ側で且つ側面１０ｅ側の隅部に連結用接続部２４Ａ（第１の連結用接続部、第８の連結用接続部）が一体的に設けられている。連結用接続部２４Ａは、内部電極１２Ａに対して十分小さな幅で誘電体層Ａ１１，Ａ１８の連結用電極２０Ａが形成される側の縁に引き出され、その端部が側面１０ｅに露出している。
【００４５】
内部電極１２Ｂには、側面１０ｄ側の短辺に端子用接続部２２Ｂ（第２の端子用接続部、第４の端子用接続部）が一体的に設けられている。端子用接続部２２Ｂは、内部電極１２Ｂと同じ幅で誘電体層Ａ１１，Ａ１８の端子電極１８Ｂが形成される側の縁に引き出され、その端部が側面１０ｄに露出している。また、内部電極１２Ｂには、側面１０ｃ側で且つ側面１０ｆ側の隅部に連結用接続部２４Ｂ（第１の連結用接続部、第９の連結用接続部）が一体的に設けられている。連結用接続部２４Ｂは、内部電極１２Ｂに対して十分小さな幅で誘電体層Ａ１１，Ａ１８の連結用電極２０Ｂが形成される側の縁に引き出され、その端部が側面１０ｆに露出している。
【００４６】
誘電体層Ａ１２，Ａ１７のそれぞれの表面には、矩形状の内部電極１４Ａ，１４Ｂが互いに離間した状態で形成されている。内部電極１４Ａは、誘電体層Ａ１２，Ａ１７のうち側面１０ｃ寄りの領域（本実施形態においては、誘電体層Ａ１２，Ａ１７の長手方向における中央よりも側面１０ｃ側の領域）に配置されており、内部電極１４Ｂは、誘電体層Ａ１２，Ａ１７のうち側面１０ｄ寄りの領域（本実施形態においては、誘電体層Ａ１２，Ａ１７の長手方向における中央よりも側面１０ｄ側の領域）に配置されている。
【００４７】
内部電極１４Ａには、側面１０ｄ側で且つ側面１０ｅ側の隅部に連結用接続部２６Ａ（第３の連結用接続部、第６の連結用接続部）が一体的に設けられている。連結用接続部２６Ａは、内部電極１４Ａに対して十分小さな幅で誘電体層Ａ１２，Ａ１７の連結用電極２０Ａが形成される側の縁に引き出され、その端部が側面１０ｅに露出している。
【００４８】
内部電極１４Ｂには、側面１０ｃ側で且つ側面１０ｆ側の隅部に連結用接続部２６Ｂ（第５の連結用接続部、第７の連結用接続部）が一体的に設けられている。連結用接続部２６Ｂは、内部電極１４Ｂに対して十分小さな幅で誘電体層Ａ１２，Ａ１７の連結用電極２０Ｂが形成される側の縁に引き出され、その端部が側面１０ｆに露出している。
【００４９】
誘電体層Ａ１３，Ａ１５のそれぞれの表面には、矩形状の内部電極１６Ａが形成されている。内部電極１６Ａは、側面１０ｃ，１０ｄの対向方向に延在している。内部電極１６Ａには、側面１０ｅ側の長辺の中央部に連結用接続部２８Ａ（第４の連結用接続部）が一体的に設けられている。連結用接続部２８Ａは、内部電極１６Ａに対して十分小さな幅で誘電体層Ａ１３，Ａ１５の連結用電極２０Ａが形成される側の縁に引き出され、その端部が側面１０ｅに露出している。
【００５０】
誘電体層Ａ１４，Ａ１６のそれぞれの表面には、矩形状の内部電極１６Ｂが形成されている。内部電極１６Ｂは、側面１０ｃ，１０ｄの対向方向に延在している。内部電極１６Ｂには、側面１０ｆ側の長辺の中央部に連結用接続部２８Ｂ（第４の連結用接続部）が一体的に設けられている。連結用接続部２８Ｂは、内部電極１６Ｂに対して十分小さな幅で誘電体層Ａ１４，Ａ１６の連結用電極２０Ｂが形成される側の縁に引き出され、その端部が側面１０ｆに露出している。
【００５１】
内部電極１２Ａ，１２Ｂ，１４Ａ，１４Ｂ，１６Ａ，１６Ｂは、いずれも誘電体素体１０の内部に配置されており、誘電体層Ａ１１〜Ａ１７を介して内部電極１２Ａ，１２Ｂ、内部電極１４Ａ，１４Ｂ、内部電極１６Ａ、内部電極１６Ｂ、内部電極１６Ａ、内部電極１６Ｂ、内部電極１４Ａ，１４Ｂ及び内部電極１２Ａ，１２Ｂの順で積層されている。すなわち、各内部電極１２Ａ，１２Ｂ，１４Ａ，１４Ｂ，１６Ａ，１６Ｂは、積層方向（主面１０ａ，１０ｂの対向方向）において隣り合う内部電極同士が誘電体層Ａ１１〜Ａ１８の厚みの分だけ互いに離間した状態で、誘電体素体１０の内部に配置されている。なお、図２に示されるように、主面１０ａからの内部電極１２Ａ，１２Ｂまでの距離ｄ１と、主面１０ｂから内部電極１２Ａ，１２Ｂまでの距離ｄ２とが略同一となっている。
【００５２】
内部電極１２Ａ，１４Ａ，１６Ａ，１６Ｂは、いずれも積層方向から見て互いに重なり合っている。より詳しくは、内部電極１２Ａと、内部電極１４Ａと、内部電極１６Ａのうち誘電体層の長手方向における中央よりも側面１０ｃ側の領域と、内部電極１６Ｂのうち誘電体層の長手方向における中央よりも側面１０ｃ側の領域とは、いずれも積層方向から見て互いに重なり合っている。
【００５３】
また、内部電極１２Ｂ，１４Ｂ，１６Ａ，１６Ｂは、いずれも積層方向から見て互いに重なり合っている。より詳しくは、内部電極１２Ｂと、内部電極１４Ｂと、内部電極１６Ａのうち誘電体層の長手方向における中央よりも側面１０ｄ側の領域と、内部電極１６Ｂのうち誘電体層の長手方向における中央よりも側面１０ｄ側の領域とは、いずれも積層方向から見て互いに重なり合っている。
【００５４】
一方、内部電極１２Ａと内部電極１２Ｂ，１４Ｂとは、積層方向から見て互いに重なり合っていない。また、内部電極１２Ｂと内部電極１２Ａ，１４Ａとは、積層方向から見て互いに重なり合っていない。
【００５５】
従って、積層方向から見たときの内部電極１６Ａ，１６Ｂの対向面積及び内部電極１６Ａ，１６Ｂのそれぞれの間隔（すなわち、誘電体層Ａ１３〜Ａ１５の厚み）、積層方向から見たときの内部電極１４Ａと内部電極１６Ｂとの対向面積及び内部電極１４Ａ，１６Ｂの間隔（すなわち、誘電体層Ａ１７の厚み）、並びに、積層方向から見たときの内部電極１４Ｂと内部電極１６Ａとの対向面積及び内部電極１４Ｂ，１６Ａの間隔（すなわち、誘電体層Ａ１２の厚み）によって、積層コンデンサ１の静電容量が規定される。
【００５６】
内部電極１２Ａ，１２Ｂ，１４Ａ，１４Ｂ，１６Ａ，１６Ｂは、例えばＡｇやＮｉ等の導電性材料からなる。内部電極１２Ａ，１２Ｂ，１４Ａ，１４Ｂ，１６Ａ，１６Ｂは、上記導電性材料を含む導電性ペーストの焼結体として構成されている。
【００５７】
端子電極１８Ａは、誘電体素体１０の側面１０ｃを覆うと共にこの側面１０ｃと隣り合う主面１０ａ，１０ｂ及び側面１０ｅ，１０ｆに回り込むように形成されている。つまり、端子電極１８Ａは、側面１０ｃと、主面１０ａ，１０ｂ及び側面１０ｅ，１０ｆのうち側面１０ｃ寄りの部分とに配置されている。端子電極１８Ａは、側面１０ｃに端部が露出している端子用接続部２２Ａと物理的且つ電気的に接続される。これにより、端子電極１８Ａと内部電極１２Ａとが電気的に接続されることとなる。
【００５８】
端子電極１８Ｂは、誘電体素体１０の側面１０ｄを覆うと共にこの側面１０ｄと隣り合う主面１０ａ，１０ｂ及び側面１０ｅ，１０ｆに回り込むように形成されている。つまり、端子電極１８Ｂは、側面１０ｄと、主面１０ａ，１０ｂ及び側面１０ｅ，１０ｆのうち側面１０ｄ寄りの部分とに配置されている。端子電極１８Ｂは、側面１０ｄに端部が露出している端子用接続部２２Ｂと物理的且つ電気的に接続される。これにより、端子電極１８Ｂと内部電極１２Ｂとが電気的に接続されることとなる。
【００５９】
連結用電極２０Ａは、矩形状を呈しており、誘電体素体１０の側面１０ｅを覆うと共にこの側面１０ｅと隣り合う主面１０ａ，１０ｂに回り込むように形成されている。つまり、連結用電極２０Ａは、側面１０ｅと、主面１０ａ，１０ｂのうち側面１０ｅ寄りの部分とに配置されている。連結用電極２０Ａは、側面１０ｅに端部が露出している連結用接続部２４Ａ，２６Ａ，２８Ａと物理的且つ電気的に接続される。これにより、内部電極１２Ａと内部電極１４Ａと内部電極１６Ａとが、連結用電極２０Ａを介して互いに電気的に接続されることとなる。すなわち、内部電極１２Ａと内部電極１４Ａと内部電極１６Ａとは同極となる。
【００６０】
連結用電極２０Ｂは、矩形状を呈しており、誘電体素体１０の側面１０ｆを覆うと共にこの側面１０ｆと隣り合う主面１０ａ，１０ｂに回り込むように形成されている。つまり、連結用電極２０Ｂは、側面１０ｆと、主面１０ａ，１０ｂのうち側面１０ｆ寄りの部分とに配置されている。連結用電極２０Ｂは、側面１０ｆに端部が露出している連結用接続部２４Ｂ，２６Ｂ，２８Ｂと物理的且つ電気的に接続される。これにより、内部電極１２Ｂと内部電極１４Ｂと内部電極１６Ｂとが、連結用電極２０Ｂを介して互いに電気的に接続されることとなる。すなわち、内部電極１２Ｂと内部電極１４Ｂと内部電極１６Ｂとは同極となる。
【００６１】
端子電極１８Ａ，１８Ｂ及び連結用電極２０Ａ，２０Ｂは、例えば導電性金属粉末及びガラスフリットを含む導電性ペーストを誘電体素体１０の外表面の塗布し、焼き付けることによって形成される。必要に応じて、焼き付けられた端子電極１８Ａ，１８Ｂ及び連結用電極２０Ａ，２０Ｂの上にめっき層が形成されることもある。
【００６２】
以上のような本実施形態においては、内部電極１２Ａに、端子電極１８Ａと接続される端子用接続部２２Ａ及び連結用電極２０Ａと接続される連結用接続部２４Ａが一体的に設けられ、内部電極１４Ａに、連結用電極２０Ａと接続される連結用接続部２６Ａが一体的に設けられ、内部電極１４Ｂに連結用電極２０Ｂと接続される連結用接続部２６Ｂが一体的に設けられており、互いに同極である内部電極１２Ａと内部電極１４Ａとが積層方向から見て互いに重なり合っており、互いに異極である内部電極１２Ａと内部電極１４Ｂとが積層方向から見て互いに重なり合っていない。そのため、電流が流れた場合に積層コンデンサ１の抵抗成分ＥＳＲ（図５参照）が生じる内部電極１２Ａが、内部電極１４Ａと隣り合う側において、異極と隣接して対向しなくなることから、積層コンデンサ１の抵抗成分に並列に接続される寄生用量Ｃｐ（図５参照）が小さくなる。また、本実施形態においては、内部電極１２Ｂに、端子電極１８Ｂと接続される端子用接続部２２Ｂ及び連結用電極２０Ｂと接続される連結用接続部２２Ｂが一体的に設けられ、内部電極１４Ｂに連結用電極２０Ｂと接続される連結用接続部２６Ｂが一体的に設けられ、内部電極１４Ａに、連結用電極２０Ａと接続される連結用接続部２６Ａが一体的に設けられており、互いに同極である内部電極１２Ｂと内部電極１４Ｂとが積層方向から見て互いに重なり合っており、互いに異極である内部電極１２Ｂと内部電極１４Ａとが積層方向から見て互いに重なり合っていない。そのため、電流が流れた場合に積層コンデンサの抵抗成分ＥＳＲ（図５参照）が生じる内部電極１２Ｂが、内部電極１４Ａと隣り合う側において、異極と隣接して対向しなくなることから、積層コンデンサ１の抵抗成分に並列に接続される寄生用量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンスの変動が抑制されることとなる。
【００６３】
また、本実施形態においては、互いに異極である内部電極１２Ａと内部電極１２Ｂとが、共に同一の誘電体層Ａ１１，Ａ１８上に配置されており、互いに異極である内部電極１４Ａと内部電極１４Ｂとが、共に同一の誘電体層Ａ１２，Ａ１７上に配置されている。その結果、誘電体素体１０を構成する誘電体層の積層数が減るので、積層コンデンサ１の小型化を図ることが可能となる。
【００６４】
また、本実施形態においては、内部電極１４Ａに、連結用電極２０Ａと接続される連結用接続部２６Ａが一体的に設けられ、内部電極１６Ｂに、連結用電極２０Ｂと接続される連結用接続部２８Ｂが一体的に設けられており、内部電極１４Ａと内部電極１６Ｂとが積層方向において隣接して対向している。また、内部電極１４Ｂに、連結用電極２０Ａと接続される連結用接続部２６Ａが一体的に設けられ、内部電極１６Ｂに、連結用電極２０Ｂと接続される連結用接続部２８Ｂが一体的に設けられており、内部電極１４Ａと内部電極１６Ｂとが積層方向において隣接して対向している。そのため、端子電極１８Ａ，１８Ｂと接続されない内部電極１４Ａと内部電極１６Ｂとの間、及び、端子電極１８Ａ，１８Ｂと接続されない内部電極１４Ｂと内部電極１６Ａとの間において、積層コンデンサ１の容量成分Ｃ（図５参照）が生じることとなる。その結果、上記のように、互いに異極である内部電極１４Ａと内部電極１４Ｂとが共に同一の誘電体層Ａ１２上に配置されており、互いに異極である内部電極１４Ａと内部電極１４Ｂとが共に同一の誘電体層Ａ１７上に配置されていることと相俟って、積層コンデンサ１の小型化を図りつつ、積層コンデンサ１の全体としての静電容量を大きくすることが可能となる。これにより、図４において二点鎖線ｃ２で示されるように、低周波帯域全体にわたってインピーダンスを低下させることが可能となる。
【００６５】
また、本実施形態においては、誘電体層Ａ１１、誘電体層Ａ１２及び誘電体層Ａ１３がこの順で積層されており、内部電極１２Ａ，１２Ｂが、積層方向において内部電極１４Ａ，１４Ｂと隣り合い、内部電極１４Ａ，１４Ｂが、積層方向において内部電極１６Ａと隣り合っている。つまり、端子電極１８Ｂと電気的に接続される内部電極１２Ｂが、異極である内部電極１６Ａと積層方向において隣り合っていない。また、誘電体層Ａ１６、誘電体層Ａ１７及び誘電体層Ａ１８がこの順で積層されており、内部電極１６Ｂが、積層方向において内部電極１４Ａ，１４Ｂと隣り合い、内部電極１４Ａ，１４Ｂが、積層方向において、内部電極１２Ａ，１２Ｂと隣り合っている。つまり、端子電極１８Ａと電気的に接続される内部電極１２Ａが、異極である内部電極１６Ｂと積層方向において隣り合っていない。さらに、本実施形態においては、内部電極１２Ａと内部電極１４Ａとが、積層方向から見て互いに重なり合っており、内部電極１２Ｂと内部電極１４Ｂとが、積層方向から見て互いに重なり合っており、内部電極１２Ａと内部電極１４Ｂとが、積層方向から見て互いに重なり合っておらず、内部電極１２Ｂと内部電極１４Ａとが、積層方向から見て互いに重なり合っておらず、内部電極１４Ｂと内部電極１６Ａとが、積層方向から見て互いに重なり合っており、内部電極１４Ａと内部電極１６Ｂとが、積層方向から見て互いに重なり合っている。そのため、端子電極１８Ａと接続される内部電極１２Ａと同極である内部電極１４Ａの存在によって、内部電極１２Ａが、異極である内部電極１６Ｂと積層方向において隣接して対向しないこととなり、端子電極１８Ｂと接続される内部電極１２Ｂと同極である内部電極１４Ｂの存在によって、内部電極１２Ｂが、異極である内部電極１６Ａと積層方向において隣接して対向しないこととなる。その結果、寄生容量をより一層小さくすることが可能となる。
【００６６】
また、本実施形態においては、主面１０ａからの内部電極１２Ａ，１２Ｂまでの距離ｄ１と、主面１０ｂから内部電極１２Ａ，１２Ｂまでの距離ｄ２とが略同一となっている。そのため、主面１０ａ，１０ｂのどちらを実装面として積層コンデンサ１を回路基板に実装した場合であっても、電流が流れる経路が変わることがなくなっている。その結果、積層コンデンサ１の高周波特性が変わってしまう虞がほとんどなくなっている。なお、積層コンデンサ１は工業製品であり、ある程度の範囲での誤差が生じるものであるから、ここでいう「略同一」には、工業製品における誤差範囲内での同一性も含まれる。
【００６７】
以上、本発明の好適な実施形態について詳細に説明したが、本発明は上記した実施形態に限定されるものではない。例えば、本実施形態では、同一の誘電体層上に位置する内部電極１２Ａ，１２Ｂと同一の誘電体層上に位置する内部電極１４Ａ，１４Ｂとが、誘電体素体１０の内部に二組配置されていたが、図６に示されるように、誘電体素体１０の内部に一組の内部電極１２Ａ，１２Ｂが配置されていてもよく、また、三組以上の内部電極１２Ａ，１２Ｂが配置されていてもよい（図示せず）。
【００６８】
また、図６に示されるように、一組の内部電極１２Ａ，１２Ｂと二組の内部電極１４Ａ，１４Ｂとが、誘電体素体１０の内部に配置されていてもよい。
【００６９】
なお、図６において、誘電体素体１０は、誘電体層Ａ１０〜Ａ１６がこの順に積層されることで構成されており、内部電極１２Ａ，１２Ｂ，１４Ａ，１４Ｂ，１６Ａ，１６Ｂは、誘電体素体１０の内部において、誘電体層Ａ１１〜Ａ１５を介して内部電極１２Ａ，１２Ｂ、内部電極１４Ａ，１４Ｂ、内部電極１６Ａ、内部電極１６Ｂ、内部電極１６Ａ及び内部電極１６Ｂの順で積層されている。また、図７において、誘電体素体１０は、誘電体層Ａ１０，Ａ１３，Ａ１４，Ａ１２，Ａ１１，Ａ１７，Ａ１５，Ａ１６がこの順に積層されることで構成されており、内部電極１２Ａ，１２Ｂ，１４Ａ，１４Ｂ，１６Ａ，１６Ｂは、誘電体素体１０の内部において、誘電体層Ａ１３，Ａ１４，Ａ１２，Ａ１１，Ａ１７，Ａ１５を介して内部電極１６Ａ、内部電極１６Ｂ、内部電極１４Ａ，１４Ｂ、内部電極１２Ａ，１２Ｂ、内部電極１４Ａ，１４Ｂ、内部電極１６Ａ及び内部電極１６Ｂの順で積層されている。
【００７０】
つまり、図７においては、内部電極１４Ａ，１４Ｂ、内部電極１２Ａ，１２Ｂ及び内部電極１４Ａ，１４Ｂが積層方向において隣り合い、いずれも同極である内部電極１４Ａ，１２Ａ，１４Ａが積層方向から見て互いに重なり合っており、いずれも同極である内部電極１４Ｂ，１２Ｂ，１４Ｂが積層方向から見て互いに重なり合っている。このようにすると、端子電極１８Ａと接続される内部電極１２Ａと同極である内部電極１４Ａの存在によって、内部電極１２Ａが異極である内部電極１６Ｂと積層方向において隣接して対向しないこととなり、端子電極１８Ｂと接続される内部電極１２Ｂと同極である内部電極１４Ｂの存在によって、内部電極１２Ｂが異極である内部電極１６Ａと積層方向において隣接して対向しないこととなる。その結果、寄生容量をより一層小さくすることが可能となる。また、図７においても、主面１０ａからの内部電極１２Ａ，１２Ｂまでの距離と、主面１０ｂから内部電極１２Ａ，１２Ｂまでの距離とが略同一となっており、高周波特性が変わってしまう虞がほとんどなくなっている。
【００７１】
また、互いに異極である内部電極１２Ａと内部電極１２Ｂとが、複数の誘電体層の積層方向から見て互いに重なり合っておらず、互いに異極である内部電極１４Ａと内部電極１６Ｂとが、複数の誘電体層の積層方向から見て互いに重なり合っていれば、例えば図８に示されるように、内部電極１２Ａ，１２Ｂ、１４Ａ，１４Ｂを種々の形状に変更することができるのは勿論である。
【００７２】
なお、図８において、内部電極１２Ａは、Ｌ字形状を呈しており、誘電体層Ａ１１，Ａ１８の長手方向における中央よりも側面１０ｃ側の領域及び誘電体Ａ１１，Ａ１８の短手方向における中央よりも側面１０ｅ側の領域にわたってそれぞれ配置されている。内部電極１２Ｂは、Ｌ字形状を呈しており、誘電体層Ａ１１，Ａ１８の長手方向における中央よりも側面１０ｄ側の領域及び誘電体Ａ１１，Ａ１８の短手方向における中央よりも側面１０ｆ側の領域にわたってそれぞれ配置されている。内部電極１４Ａは、Ｌ字形状を呈しており、誘電体層Ａ１２，Ａ１７の長手方向における中央よりも側面１０ｃ側の領域及び誘電体Ａ１２，Ａ１７の短手方向における中央よりも側面１０ｅ側の領域にわたってそれぞれ配置されている。内部電極１４Ｂは、Ｌ字形状を呈しており、誘電体層Ａ１２，Ａ１７の長手方向における中央よりも側面１０ｄ側の領域及び誘電体Ａ１１，Ａ１７の短手方向における中央よりも側面１０ｆ側の領域にわたってそれぞれ配置されている。
【００７３】
また、図９に示されるように、内部電極１２Ａに、正方形状を呈する開口部３０Ａを複数設け、内部電極１２Ｂに、正方形状を呈する開口部３０Ｂを複数設けるようにしてもよい。これらの開口部３０Ａ，３０Ｂは、内部電極１２Ａ，１２Ｂにおいて４行×４列となるように、すなわちメッシュ状（網目状）となるようにそれぞれ配置されている。なお、開口部３０Ａ，３０Ｂを多角形状（三角形状や四角形状等）、円形状、楕円形状、長孔状といった種々の形状としてもよい。このようにすると、内部電極１２Ａが異極の内部電極１６Ｂと積層方向において対向していても、内部電極１２Ａと内部電極１６Ｂとの対向面積が小さくなると共に、内部電極１２Ｂが異極の内部電極１６Ａと積層方向において対向していても、内部電極１２Ｂと内部電極１６Ａとの対向面積が小さくなる。その結果、寄生容量をより一層小さくすることが可能となる。
【００７４】
ところで、内部電極１２Ａとその異極の内部電極１６Ｂとの対向面積及び内部電極１２Ｂとその異極の内部電極１６Ａとの対向面積を小さくするためには、内部電極１２Ａ，１２Ｂを、例えば、細い１本の線状とすることも考えられる。しかしながら、この場合、細い１本の線状部分に電流が集中して流れることとなり、等価直列インダクタンスＥＳＬが増大してしまう。そして、ＥＳＬは、積層コンデンサ１の等価回路において静電容量Ｃと直列に接続されており（図５参照）、コンデンサの急速な充放電を妨げるように作用するので、ＥＳＬが増大すると、回路の高速化が抑制されてしまう。しかしながら、上記のように、メッシュ状（網目状）となるように複数の開口部３０Ａ，３０Ｂを内部電極１２Ａ，１２Ｂにそれぞれ設けるようにすると、内部電極１２Ａ，１２Ｂにおいて電流が分散して流れるようになるので、ＥＳＬの低減を図れることとなる。その結果、図４において一点鎖線ｃ１で示されるように、高周波帯域全体にわたってインピーダンスを低下させることが可能となる。また、このようにすると、積層方向から見たときの内部電極１２Ａとその異極との対向面積が小さくなり、積層方向から見たときの内部電極１２Ｂとその異極との対向面積が小さくなる。そのため、内部電極１２Ａ，１２Ｂが、異極からの磁束による影響を受けにくくなり、積層コンデンサ１の抵抗成分に並列に接続される寄生容量Ｃｐ（図５参照）が小さくなる。その結果、図４において実線ａで示されるように、共振周波数の近傍におけるインピーダンスの低下を抑制することが可能となり、共振周波数の近傍を含む広域帯にわたってインピーダンス変動が抑制されることとなる。
【００７５】
また、本実施形態においては、内部電極１２Ａ，１２Ｂ，１４Ａ，１４Ｂ，１６Ａ，１６Ｂが、誘電体層Ａ１１〜Ａ１７を介して内部電極１２Ａ，１２Ｂ、内部電極１４Ａ，１４Ｂ、内部電極１６Ａ、内部電極１６Ｂ、内部電極１６Ａ、内部電極１６Ｂ、内部電極１４Ａ，１４Ｂ及び内部電極１２Ａ，１２Ｂの順で積層されていたが、内部電極１６Ａ，１６Ｂの順番が入れ替わっていてもよい。すなわち、内部電極１２Ａ，１２Ｂ，１４Ａ，１４Ｂ，１６Ａ，１６Ｂが、誘電体層Ａ１１〜Ａ１７を介して内部電極１２Ａ，１２Ｂ、内部電極１４Ａ，１４Ｂ、内部電極１６Ｂ、内部電極１６Ａ、内部電極１６Ｂ、内部電極１６Ａ、内部電極１４Ａ，１４Ｂ及び内部電極１２Ａ，１２Ｂの順で積層されていてもよい。
【００７６】
また、本実施形態においては、誘電体層Ａ１２，Ａ１７上に内部電極１４Ａ，１４Ｂが配置されていたが、誘電体層Ａ１２，Ａ１７上に内部電極１４Ａ，１４Ｂのうち一方だけが配置されていてもよい。ここで、積層コンデンサ１の静電容量Ｃ（図５参照）を増加させるため、例えば、誘電体層Ａ１２上に内部電極１４Ａのみが配置されている場合には、内部電極１６Ｂが内部電極１４Ａと積層方向において隣り合うように誘電体素体１０内に配置されることとなり、誘電体層Ａ１２上に内部電極１４Ｂのみが配置されている場合には、内部電極１６Ａが内部電極１４Ｂと積層方向において隣り合うように誘電体素体１０内に配置されることとなる。
【００７７】
また、本実施形態においては、誘電体層Ａ１２上に配置された内部電極１４Ａ，１４Ｂと誘電体層Ａ１７上に配置された内部電極１４Ａ，１４Ｂとの間に、内部電極１６Ａ、内部電極１６Ｂ、内部電極１６Ａ、内部電極１６Ｂが積層方向においてこの順に並んでいたが、誘電体層Ａ１２上に配置された内部電極１４Ａ，１４Ｂと誘電体層Ａ１７上に配置された内部電極１４Ａ，１４Ｂとの間に、内部電極１６Ａ又は内部電極１６Ｂのどちらか一方が位置していればよい。
【００７８】
また、内部電極１６Ａ，１６Ｂの数及び誘電体層の数を適宜所望の数とするようにしてもよい。
【図面の簡単な説明】
【００７９】
【図１】図１は、本実施形態に係る積層コンデンサを示す斜視図である。
【図２】図２は、図１のＩＩ−ＩＩ線断面図である。
【図３】図３は、本実施形態に係る積層コンデンサを構成する誘電体素体を示す分解斜視図である。
【図４】図４は、本実施形態に係る積層コンデンサ及び従来の積層コンデンサのインピーダンス特性を示す図である。
【図５】図５は、積層コンデンサの等価回路を示す図である。
【図６】図６は、本実施形態に係る積層コンデンサを構成する誘電体素体の他の例（第１の例）を示す分解斜視図である。
【図７】図７は、本実施形態に係る積層コンデンサを構成する誘電体素体の他の例（第２の例）を示す分解斜視図である。
【図８】図８は、本実施形態に係る積層コンデンサを構成する誘電体素体の他の例（第３の例）を示す分解斜視図である。
【図９】図９は、本実施形態に係る積層コンデンサを構成する誘電体素体の他の例（第４の例）を示す分解斜視図である。
【符号の説明】
【００８０】
１…積層コンデンサ、１０…誘電体素体（素体）、１２Ａ…内部電極（第１の内部電極）、１２Ｂ…内部電極（第２の内部電極）、１４Ａ…内部電極（第５の内部電極）、１４Ｂ…内部電極（第３の内部電極）、１６Ａ…内部電極（第４の内部電極）、１６Ｂ…内部電極（第１０の内部電極）、１８Ａ…端子電極（第１の端子電極）、１８Ｂ…端子電極（第２の端子電極）、２０Ａ…連結用電極（第１の連結用電極）、２０Ｂ…連結用電極（第２の連結用電極）、２２Ａ…端子用接続部（第１の端子用接続部、第３の端子用接続部）、２２Ｂ…端子用接続部（第２の端子用接続部、第４の端子用接続部）、２４Ａ…連結用接続部（第１の連結用接続部、第８の連結用接続部）、２４Ｂ…連結用接続部（第２の連結用接続部、第９の連結用接続部）、２６Ａ…連結用接続部（第３の連結用接続部、第５の連結用接続部）、２６Ｂ…連結用接続部（第５の連結用接続部、第７の連結用接続部）、２８Ａ…連結用接続部（第４の連結用接続部）、２８Ｂ…連結用接続部（第４の連結用接続部）、３０Ａ，３０Ｂ…開口部。
【図１】
2010098254.tif 000003
【図２】
2010098254.tif 000004
【図３】
2010098254.tif 000005
【図４】
2010098254.tif 000006
【図５】
2010098254.tif 000007
【図６】
2010098254.tif 000008
【図７】
2010098254.tif 000009
【図８】
2010098254.tif 000010
【図９】
2010098254.tif 000011